(57)【要約】【課題】裏面は高い粘着性を有するが、物品を載せる表面の粘着性をある程度低くして、取り外しを容易にし、かつシート同士が粘着せず、取り扱いの容易なシリコーンゴムの提供。【解決手段】ＪＩＳ規格Ｋ６２５３による硬度が５〜３０度であるシリコーンゴムからなり、片側表面に布目状または梨地状凹凸を設け、反対側表面より粘着性の小さい表面を有する粘着シート。このシリコーンゴムシートはカレンダー加工の際、一方の面に、布または梨地状に加工したフィルムを、反対側の面に表面平滑のフィルムを貼り合わせてロールで巻き取り、加硫後、シリコーンゴムシートの両面に貼りつけた布またはフィルムを剥離することにより得られる。この粘着シートは卓上マット、乗用車の小物置き用マット、または壁貼り用マット等に使用される。【選択図】  なし。【特許請求の範囲】
【請求項１】
ＪＩＳ規格Ｋ６２５３による硬度が５〜３０度であるシリコーンゴムからなり、片側表面に布目状または梨地状凹凸を設け、反対側表面より粘着性の小さい表面を有する粘着シート。
【請求項２】
シリコーンゴムシートの一方の面に、布または梨地状に加工したフィルムを、反対側の面に表面平滑のフィルムを貼り合わせてロールで巻き取り、加硫後、シリコーンゴムシートの両面に貼りつけた布またはフィルムを剥離することを特徴とする請求項１記載の粘着シートの製造方法。
【請求項３】
請求項１の粘着シートを用いた卓上マット、乗用車の小物置き用マット、または壁貼り用マット。
【発明の詳細な説明】
【発明の属する技術分野】
【０００１】
本発明はシリコーンゴムからなる粘着シートに関する。更に詳しくは、その片面の表面に布目状または梨地状凹凸を設け、シートの両面の粘着性が異なる粘着シート、その製法及び用途に関する。
【従来の技術】
【０００２】
シリコーンゴムは主鎖がオルガノシロキサン結合からなる合成ゴムで、耐熱性、耐寒性、耐候性、耐油性、耐薬品性、安全性等に優れるため、パッキング材、医療用機材、哺乳器具、乳幼児用玩具、食器類等に広く使用されている。
【０００３】
またシリコーンゴムの汎用グレードは通常非粘着性であるが、低硬度のものは粘着性があり、この性質を利用して、すべり止めシートへの用途開発も行われつつある。
【発明が解決しようとする課題】
【０００４】
しかしシリコーンゴムをすべり止めシートとして用いる場合、一般的に車や家具に貼りつける面(裏面)には高い粘着性を要するが、物品を載せる面では、シートと物品との粘着性は、用途によっては、必ずしも高い粘着性を必要とせず、むしろを表面の粘着性をある程度低くして、取り外しを容易にすることが望まれる場合が多い。また、両面とも粘着性の高いシートは、シート同士が粘着しやすく、取り扱いに不便であるという問題もある。
【０００５】
そこで表裏両面の接着性の異なる粘着シートが求められているが、このようなシートを製造するために、粘着性の異なる２枚のシートを貼り合わせると厚みが増し、また２枚のシートの伸縮性の相違により、シートがスルメのように曲がる現象を起こし、又製造工程も複雑になるため、コスト高になるという問題があった。
【０００６】
本発明は、上記問題を解決し、１枚のシートで表裏両面の粘着性の異なる粘着シートを提供するものである。
【課題を解決するための手段】
【０００７】
即ち本発明はＪＩＳ規格Ｋ６２５３による硬度が５〜３０度であるシリコーンゴムからなり、片側表面に布目状または梨地状凹凸を設け、反対側表面より粘着性の小さい表面を有する粘着シート及びその製法ならびに用途である。片側表面に布目状または梨地状凹凸を設けたことにより、該表面では粘着力が低下し、これにより１枚のシートで表裏両面の粘着性の異なる粘着シートが得られる。
【発明の実施の形態】
【０００８】
本発明に用いられるシリコーンゴムシートはＪＩＳ規格Ｋ６２５３による硬度が５〜３０度、好ましくは５〜２５度のものが用いられる。硬度３０度以上のものでは粘着力が弱く、本発明の用途に対して実用性に乏しい。
【０００９】
本発明の粘着シートはカレンダー加工、プレス加工、押出し加工等、通常のシート成型方法により得られるが、特にカレンダー加工が好適である。
【００１０】
本発明の粘着シートは通常架橋シリコーンゴムが使用される。架橋は側鎖に少量の架橋基、たとえばビニル基を有するシリコーンゴムを成型加工時に架橋剤、例えば有機過酸化物を添加し、加熱することにより行われる。
【００１１】
本発明ではこのような硬度が５〜３０度のシリコーンゴムシートの片側表面に布目状または梨地状凹凸を設けたものである。
【００１２】
ゴムシートの片側表面を布目状または梨地状凹凸を設ける方法は、シートの成形加工時に簡単に行うことができる。即ちシリコーンゴムをカレンダー加工する場合、シリコーンゴムシートの一方の面には、布、または梨地状に加工したフィルムを、また反対側の面には表面平滑のフィルムを貼り合わせてロールで巻き取り、加硫後、シリコーンゴムの両面に貼りつけたフィルムまたは布を剥離することにより、片側の表面は布目状または梨地状凹凸を有し、反対側表面が平滑な鏡面であるシリコーンゴムシートが得られる。
【００１３】
ゴムシートの片側表面に設ける形状は布目状、梨地状凹凸のいずれでもよいが、布目状凹凸を設けた場合は、粘着力の低下が大きく、一方梨地状凹凸を設けた場合は、粘着力の低下はそれほど大きくないので、必要とされる表面の粘着性に応じて両者を使い分けることにより、広い範囲の用途に使用できる製品を提供することができる。
【００１４】
本発明の粘着シートの厚さは特に制限がなく、コストの面から薄いシートが望ましいが、薄すぎると加工が困難であり、またシートの粘着性のため取り扱いにくい。好適な厚さは0.1〜３ｍｍ、より好ましくは0.5〜２ｍｍである。本発明のシートは片側表面の粘着力を低下させているので、薄いシートでも取り扱いが容易である。
【００１５】
本発明のシートは、耐熱性、耐油性、安全性等、シリコーンゴム本来の優れた特性を有し、かつ裏面が高い粘着性を有し、反対側表面は適度の粘着力を有し、かつ滑り止め効果が大きいので、粘着シートとして車のダッシュボードやアームレストに貼りつけて、携帯電話、小銭入れ等を載せて車の振動による滑り落ちや移動を防止する用途、家具例えば机、テーブルに貼りつけて、その上に食器、置物、文房具等をのせる用途、壁、扉、冷蔵庫、ホワイトボード等に貼りつけて、カレンダー、予定表、メモ帳等、紙類を貼るためのマット等、広範囲の用途に利用できる。
【００１６】
特に本発明のシートは表面の粘着力を弱めてあるため、シートからの取り外しが簡単にできる用途に適しており、具体的には食器類をテーブルに置くためのランチョンマット、花瓶置き用マット、コースター等の卓上マットに用いた場合、確実に固定されて倒れる心配がなく、しかも取り外しが簡単にできる。これらは滑り止め効果があれば、それほど高い粘着力を必要としないので、布目状凹凸を設けたシートが適している。
【００１７】
また車のダッシュボードやアームレストに貼りつけて、携帯電話、小銭入れ等、小物を載せるマットとして使用するためには、車の振動による滑り落ちや移動を防止するため、ある程度の粘着力を必要とするので、梨時状凹凸を設けたシートが適している。また壁等の垂直面に貼り付けてカレンダー、予定表、メモ帳、ポスター等の紙を貼り付ける壁貼り用マットとして用いる場合も梨地状凹凸を設けたシートが用いられる。
【実施例】
【００１８】
[実施例１]（片面布目状シリコーンゴムシートの製造）
東レ・ダウコーニング社製、シリコーンゴム”DY32-1005u”(硬度１５)に、架橋剤及び剥離剤を添加、混練してカレンダー装置に供給し、ＰＥＴ（ポリエチレンテレフタレート）フィルムにシリコーンゴムをトッピングし、ＰＥＴフィルム貼り合わせ面と反対側面にはナイロン製の布を貼り合わせ、巾１００ｃｍとして長尺シートを巻き取った。次いでこれを150℃×１時間、更に２次加工として150℃×２時間処理して加硫し、片側表面が布目状であるシリコーンゴムシートを得た。
【００１９】
［実施例２］（片面梨地状シリコーンゴムシートの製造）
実施例１においてナイロン製の布の代わりに、サンドペーパーでこすり梨地状凹凸をつけたＰＥＴフィルムを用いた以外は実施例1と同様にして、片側表面が梨地状であるシリコーンゴムシートを得た。
【００２０】
［比較例］（両面粘着性シリコーンゴムシートの製造）
実施例１において両面ともＰＥＴフィルムに張り合わせた以外は実施例1と同様にして、両面とも粘着性であるシリコーンゴムシートを得た。
【００２１】
（粘着力の測定）
実施例１，２及び比較例で得られた５cm×５cm、厚さ1.5mmのシリコーンゴムシートを、５cm×５cm、重さ６２５ｇのステンレス板２枚の間に挟んで貼り付け、その上に５kgの錘を２分間載せたのち、上下に引っ張り、シリコーンゴムシートとステンレス板とが剥がれる時の力を測定した。結果を表１に示す。
【００２２】
【表１】
2004189982.tif 000002
【００２３】
表１の結果から明らかなように、シリコーンゴムの片面を梨地または布目状にすることにより、片側表面の粘着力を低下させたシリコーンゴムシートを得ることができる。また布目状凹凸と梨地状凹凸では粘着力には大きな差があり、製造法を選択することにより、用途に応じて片面の粘着力の異なるシリコーンゴムを製造することができる。
【発明の効果】
【００２４】
本発明はシリコーンゴムシートの片側表面に布目状または梨地状凹凸を設けたことにより、１枚のシートで表裏両面での粘着力の異なるシリコーンゴム粘着シートが得られ、各種用途に適応する多種のシリコーンゴム粘着シートを得ることができ、特にシート上からの取り外しが容易であることを要求される分野において実用性が高い。またこのようなシートはカレンダー加工工程中に簡単に行うことができるので、製作も容易である。